(57)【要約】【課題】入力操作についての作業性を向上できるようにする。【解決手段】画像形成装置１０は、本体側操作部６１及び排紙部側操作部６２を備える。本体側操作部６１は、本体側主画面１１１及び本体側副画面１１２を表示する。排紙部側操作部６２は、排紙部側主画面１２１及び排紙部側副画面１２２を表示する。排紙部側主画面１２１に表示された画像の相似画像が本体側副画面１１２に表示される。本体側主画面１１１に表示された画像の相似画像が排紙部側副画面１２２に表示される。本体側主画面１１１及び排紙部側主画面１２１において入力操作が受け付けられる。本体側操作部６１又は排紙部側操作部６２のいずれかから所定の表示切換操作が行われると、本体側操作部６１及び排紙部側操作部６２のそれぞれにおいて、主画面１１１，１２１と副画面１１２，１２２との表示が切り換えられる。【選択図】図３
2014238745.tif 000002
【特許請求の範囲】
【請求項１】
第１主画面及び前記第１主画面よりも小サイズの第１副画面を表示する第１操作部と、
第２主画面及び前記第２主画面よりも小サイズの第２副画面を表示する第２操作部と、を備え、
前記第１操作部は、前記第２主画面に表示された画像の相似画像を前記第１副画面に表示し、前記第１主画面において入力操作を受け付け、
前記第２操作部は、前記第１主画面に表示された画像の相似画像を前記第２副画面に表示し、
少なくとも前記第１操作部は、前記第１操作部から所定の表示切換操作が行われると、前記第１主画面に表示していた画像の縮小画像を前記第１副画面に表示するとともに前記第１副画面に表示していた画像の拡大画像を前記第１主画面に表示するように、主画面と副画面との表示を切り換える、画像形成装置。
【請求項２】
前記第１操作部は、前記第２主画面に表示された画像についてのサイズ調整操作を受け付ける、請求項１に記載の画像形成装置。
【請求項３】
前記第１操作部は、前記第２主画面についての輝度調整操作を受け付ける、請求項１又は２に記載の画像形成装置。
【請求項４】
前記第１主画面の表示と前記第２副画面の表示とが同期し、前記第１副画面の表示と前記第２主画面の表示とが同期する、請求項１から３のいずれかに記載の画像形成装置。
【請求項５】
少なくとも前記第２操作部は、上下方向及び左右方向のうち少なくともいずれか一方に回転自在に構成され、
前記第２操作部を回転させる第２駆動源をさらに備え、
前記第１操作部は、前記第２操作部を回転させる回転操作を受け付ける、請求項１から４のいずれかに記載の画像形成装置。
【発明の詳細な説明】
【技術分野】
【０００１】
この発明は、主画面及び主画面よりも小サイズの副画面をそれぞれ表示する第１操作部及び第２操作部を備える画像形成装置に関する。
【背景技術】
【０００２】
従来から、画像形成装置の中には、印刷ジョブについての画像形成処理条件の設定画面や印刷ジョブの進行状況等の情報を表示する表示部、及び画像形成処理条件の設定や処理実行指示等の動作指示の入力操作を受け付ける入力操作部を含む、本体操作部を備えたものがある。本体操作部は、画像形成処理を開始させる際に動作指示の入力操作等を行いやすいように、画像形成部を内蔵する装置本体の上部に配置されている。
【０００３】
本体操作部への表示情報を認識するためには本体操作部を確認する必要がある一方、自己が入力した印刷ジョブによって画像形成処理された用紙が実際に排出されたか否かを認識するためには排紙トレイを確認する必要がある。このため、本体操作部と排紙トレイとの間の距離が長くなるほど作業性が低下する。
【０００４】
近年、画像形成装置の中には、多機能化にともなって大型化したものがある。このような大型の画像形成装置では、本体操作部と排紙トレイを含む排紙部との間の距離が特に長くなることがあり、本体操作部を確認する際と排紙トレイを確認する際とでユーザは立ち位置を変える必要が生じ、非常に作業性が低下する場合がある。
【０００５】
そこで、本体操作部に含まれる表示部の他に、排紙部に含まれる排紙トレイの近傍に液晶ディスプレイ等で構成された排紙情報表示部をさらに備える画像形成装置が知られている（例えば、特許文献１参照。）。この従来の画像形成装置では、同一の外部装置からの排出指示による複数の排紙トレイへの排出紙がある場合に、これらが同一の外部装置からの排出紙であることが、排紙情報表示部に表示される。
【先行技術文献】
【特許文献】
【０００６】
【特許文献１】特開２０００−２６３８８９号公報
【発明の概要】
【発明が解決しようとする課題】
【０００７】
しかし、従来の画像形成装置では、印刷ジョブの進行状況に関する情報は排紙部近傍の排紙情報表示部には表示されないので、自己が入力した印刷ジョブの進行状況を確認しつつ、画像形成処理された用紙が実際に排出されたか否かを確認するためには、互いに離れて配置されている本体操作部と排紙トレイとの両方を確認する必要があり、立ち位置を変えなければならない。
【０００８】
また、従来の画像形成装置では、排紙部の近傍から入力操作を行うことができないので、排紙トレイへ排出された排出紙を確認して処理内容がユーザの要求に適合しないことが判明した場合等、排紙トレイの確認中に動作指示の入力操作を行う必要が生じた場合は、排紙トレイの近傍から立ち位置を変えて、本体操作部を操作しに行かなければならず、作業性が低下する。
【０００９】
この発明の目的は、入力操作についての作業性を向上できる画像形成装置を提供することにある。
【課題を解決するための手段】
【００１０】
この発明の画像形成装置は、第１操作部、及び第２操作部を備える。第１操作部は、第１主画面及び第１主画面よりも小サイズの第１副画面を表示する。第２操作部は、第２主画面及び第２主画面よりも小サイズの第２副画面を表示する。第１操作部は、第２主画面に表示された画像の相似画像を第１副画面に表示し、第１主画面において入力操作を受け付ける。第２操作部は、第１主画面に表示された画像の相似画像を第２副画面に表示する。少なくとも第１操作部は、第１操作部から所定の表示切換操作が行われると、第１主画面に表示していた画像の縮小画像を第１副画面に表示するとともに第１副画面に表示していた画像の拡大画像を第１主画面に表示するように、主画面と副画面との表示をそれぞれ切り換える。
【００１１】
この構成では、第２操作部の第２主画面に表示された画像が第１操作部の第１副画面に表示される。第１操作部において第１主画面と第１副画面との表示を切り換えて、第２操作部の第２主画面に表示されていた画像を第１操作部の第１主画面に表示させることで、第２主画面に表示されていた画像を第１主画面に表示させた状態で第１主画面において入力操作を行うことができる。このため、本来は第１操作部の近傍から立ち位置を変えて第２操作部において行わなければならなかった入力操作を、立ち位置を変えずに第１操作部において行うことができる。
【００１２】
上述の構成において、第１操作部は、第２主画面に表示された画像についてのサイズ調整操作を受け付けるように構成されることが好ましい。
【００１３】
この構成では、第１操作部において第２操作部の第２主画面に表示された画像についてのサイズ調整操作を行うことができる。例えば、第１操作部の近傍に居て第１主画面と第２主画面とを見比べたいような場合、第２主画面は第１副画面にも表示されるが、第１副画面は小サイズであるために認識しづらい場合があり、また、第１副画面の画像を第１主画面に切り換えて表示させたのでは、第１主画面に表示されていた画像が第１副画面に表示されてしまい認識しづらくなる場合がある。そこで、第１操作部の近傍に居ながらにして、第２主画面に表示された画像を拡大することで、第１主画面と第２主画面とを同時に容易に認識できるようになる。このように、両方の操作部の主画面を同時に容易に認識できるようにする操作を、立ち位置を変えずに行うことができる。
【００１４】
また、第１操作部は、第２主画面についての輝度調整操作を受け付けるように構成されることが好ましい。
【００１５】
この構成では、例えば、第１操作部において第２操作部の第２主画面についての輝度調整操作を行うことができる。このため、第１操作部の近傍に居て第１主画面と第２主画面とを見比べたいような場合に、第１副画面では小サイズ等の理由で認識しづらく、かつ第２主画面も輝度が不適切であるために認識しづらい場合であっても、第１操作部の近傍に居ながらにして、第２主画面についての輝度調整を行うことで、第１主画面と第２主画面とを同時に容易に認識できるようになる。このように、両方の操作部の主画面を同時に容易に認識できるようにする操作を、立ち位置を変えずに行うことができる。
【００１６】
さらに、第１主画面の表示と第２副画面の表示とが同期し、第１副画面の表示と第２主画面の表示とが同期するように構成することができる。
【００１７】
この構成では、第１操作部において第１主画面と第１副画面との表示切換操作を行った場合、同時に第２操作部においても第２主画面と第２副画面との表示が切り換えられる。このため、一方の操作部の副画面に他方の操作部の主画面を表示させた状態を常に維持することができる。また、第１操作部において第２主画面についてのサイズ調整操作や輝度調整操作といった調整操作を行った場合に、この第２主画面についてのサイズ調整や輝度調整といった調整が第１副画面に反映されるので、ユーザは手元の第１副画面を参照しながら第２主画面の調整操作を行うことができる。
【００１８】
また、少なくとも第２操作部は、上下方向及び左右方向のうち少なくともいずれか一方に回転自在に構成され、第２操作部を回転させる第２駆動源をさらに備え、第１操作部は、第２操作部を回転させる回転操作を受け付けるように構成することができる。
【００１９】
この構成では、第１主画面と第２主画面とを見比べたいような場合に、第１操作部において回転操作を行うことで、第１操作部の近傍に居ながらにして、第２操作部をユーザから見やすい方向へ回転させることができ、これによって第１主画面と第２主画面とを同時に容易に認識できるようになる。このように、両方の操作部の主画面を同時に容易に認識できるようにする操作を、立ち位置を変えずに行うことができる。
【発明の効果】
【００２０】
この発明によれば、入力操作についての作業性を向上させることができる。
【図面の簡単な説明】
【００２１】
【図１】この発明の第一の実施形態に係る画像形成装置の外観構成を示す正面上方側からの斜視図である。
【図２】画像形成装置の概略構成を示すブロック図である。
【図３】（Ａ）は第２操作部を示し、（Ｂ）は第１操作部を示す図である。
【図４】第１操作部の第１主画面の表示画面の第１の実施例を示す図である。
【図５】第２操作部の第２主画面の表示画面の第１の実施例を示す図である。
【図６】第２操作部の第２主画面の表示画面の第２の実施例を示す図である。
【図７】（Ａ）は第２操作部の第２主画面の表示画面の第３の実施例を示す図であり、（Ｂ）は第１操作部の第１主画面の表示画面の第２の実施例を示す図である。
【図８】第２操作部の第２主画面の表示画面の第４の実施例に係る輝度調整の操作画面を示す図である。
【図９】第二の実施形態に係る画像形成装置１０の第１操作部の回転構造を示す正面図である。
【図１０】第１操作部の回転構造を示す側面図である。
【図１１】第１操作部の回転構造を示す背面図である。
【図１２】（Ａ）は第１操作部を左右方向に回転させるための第２操作部における操作方法の例を示し、（Ｂ）は第１操作部を上下方向に回転させるための第２操作部における操作方法の例を示す図である。
【図１３】第三の実施形態に係る画像形成装置の正面図である。
【発明を実施するための形態】
【００２２】
図１に示すように、この発明の実施形態に係る画像形成装置１０は、大容量給紙部２０、画像形成装置本体３０、用紙後処理部４０、排紙部５０、本体側操作部６１、及び排紙部側操作部６２を備えている。
【００２３】
大容量給紙部２０、画像形成装置本体３０、用紙後処理部４０、及び排紙部５０は、水平面に沿った一方向に横並びに配置されている。大容量給紙部２０、画像形成装置本体３０、用紙後処理部４０、及び排紙部５０は、用紙搬送方向９１においてこの順序で配置されている。即ち、画像形成装置本体３０と排紙部５０との間に、用紙後処理部４０が配置されている。この実施形態では、大容量給紙部２０、画像形成装置本体３０、用紙後処理部４０、及び排紙部５０は、互いに異なる筐体で構成されている。
【００２４】
大容量給紙部２０は、複数の給紙トレイ２１，２２，２３及び手差しトレイ２４を有している。給紙トレイ２１〜２３のそれぞれは、画像形成用の多数の用紙を収容可能に構成されている。大容量給紙部２０は、給紙トレイ２１〜２３及び手差しトレイ２４のうち選択されたいずれかのトレイから、用紙を１枚ずつ画像形成装置本体３０へ供給する。
【００２５】
画像形成装置本体３０は、画像形成部３２、及び画像読取部３３を備えている。
【００２６】
画像読取部３３は、画像形成部３２の上に配置され、原稿の画像を読み取って画像データを生成する。画像読取部３３は、スキャナ部３３１及び自動原稿搬送装置３３２を含む。自動原稿搬送装置３３２は、原稿載置トレイに収容された原稿を、所定の画像読取位置を経由するように１枚ずつ搬送し、原稿排紙トレイへ排出する。スキャナ部３３１は、画像読取位置を搬送される原稿の画像を読み取る。
【００２７】
本体側操作部６１は、画像形成装置本体３０の上部に設置されている。より具体的な例として、本体側操作部６１は、画像形成装置本体３０の上面から上方へ延びる支柱の先に支持され、画面を正面側へ向けて配置されている。本体側操作部６１は、画像形成処理条件の設定や処理実行指示等の動作指示の入力操作の受け付け、及び種々の情報の表示を行うことができる。
【００２８】
画像形成部３２は、本体給紙部３１、及び画像形成ステーション３４を有している。
【００２９】
本体給紙部３１は、画像形成用の用紙を収容可能に構成されている。画像形成部３２では、大容量給紙部２０又は本体給紙部３１のいずれかから選択的に、用紙が１枚ずつ画像形成ステーション３４へ供給される。
【００３０】
画像形成ステーション３４は、外部から入力した画像データ又は画像読取部３３から入力した画像データに基づいて、用紙に画像形成処理を行う。一例として、画像形成ステーション３４は、電子写真方式の画像形成処理を行う。画像形成処理済みの用紙は、用紙後処理部４０へ搬送される。
【００３１】
用紙後処理部４０は、少なくとも１個の用紙後処理装置を含む。この実施形態では、用紙後処理部４０は、インサータユニット４１、紙折りユニット４２、及びサドルユニット４３を含む。一例として、インサータユニット４１、紙折りユニット４２、及びサドルユニット４３は、用紙搬送方向９１に沿って、この順序で横並びに配置されている。
【００３２】
インサータユニット４１は、画像形成用の用紙とは別の挿入用の用紙を、挿入用紙供給ユニット４１１に予め収容している。インサータユニット４１は、画像形成装置本体３０から紙折りユニット４２等の他の用紙後処理装置への用紙搬送路の途中で、画像形成装置本体３０から搬送されてきた画像形成処理済みの用紙と用紙との間に、挿入用の用紙を挿入することができる。
【００３３】
紙折りユニット４２は、画像形成処理済みの用紙に折り目を付けることができる。サドルユニット４３は、画像形成処理済みの用紙束を製本処理することができる。
【００３４】
インサータユニット４１、紙折りユニット４２、及びサドルユニット４３は、画像形成処理条件の設定によって、全てが使用されない場合があり、又はいずれか１以上のユニットが選択的に使用される場合がある。用紙は、用紙後処理部４０を経由した後、排紙部５０へ搬送される。
【００３５】
排紙部５０は、排紙トレイ５１を有している。この実施形態では、排紙部５０は、ステープルユニット、パンチユニット、及びフィニッシャをさらに有している。
【００３６】
ステープルユニットは、複数の用紙をステープル針で留めるステープル処理を行うことができる。パンチユニットは、用紙の所定位置にパンチ孔を開けるパンチ処理を行うことができる。フィニッシャは、複数の用紙の両端部を整合する整合処理を行うことができる。画像形成処理済みの用紙は、排紙トレイ５１へ排出されて収容される。
【００３７】
排紙部側操作部６２は、排紙部５０の近傍に設置される。この実施形態では、排紙部側操作部６２は、排紙部５０の上部に設置されている。排紙部側操作部６２は、種々の入力操作の受け付け、及び印刷ジョブの進行状況に関する情報やエラー表示等の種々の情報の表示を行うことができる。
【００３８】
この実施形態に係る画像形成装置１０において、大容量給紙部２０、画像形成部３２、画像読取部３３、用紙後処理部４０、及び排紙部５０は、それぞれ処理部を構成している。
【００３９】
図２に示すように、画像形成装置１０は、制御部７０、画像処理部７１、記憶部７２、送受信部７３、第１モータ７４、及び第２モータ７５をさらに備えている。
【００４０】
送受信部７３には、１以上の外部のＰＣ端末装置８１，８２，８３がネットワーク接続されている。ＰＣ端末装置８１〜８３から入力した印刷ジョブは、送受信部７３を介して記憶部７２に退避される。送受信部７３は、印刷ジョブが入力する入力部を構成している。また、各種のメッセージが、送受信部７３を介して各ＰＣ端末装置８１〜８３へ送信される。
【００４１】
画像処理部７１は、画像読取部３３に含まれ、画像読取部３３において原稿の画像内容に応じて出力されたレッド，グリーン，ブルーのＲＧＢアナログ画像信号をデジタル処理し、シアン、マゼンタ、イエロー、及びブラックのＣＭＹＫデジタル信号に変換して画像データとして出力する。
【００４２】
記憶部７２は、制御プログラム、及び画像データ等を記憶する。
【００４３】
第１モータ７４及び第２モータ７５は、本体側操作部６１を左右方向及び上下方向に回転させるための第１駆動源である。排紙部側操作部６２を左右方向及び上下方向に回転させるための第１モータ７４及び第２モータ７５と同様のモータも第２駆動源として備えられている。詳細については後述する。
【００４４】
本体側操作部６１は、本体側表示部６１１及び本体側入力操作部６１２を含む。本体側入力操作部６１２は、本体側表示部６１１の上に重ねて配置され、本体側表示部６１１を透視可能に構成されている。一例として、本体側操作部６１は、液晶タッチパネルで構成される。
【００４５】
制御部７０は、印刷ジョブが入力すると、記憶部７２に画像データを一旦退避させ、大容量給紙部２０又は本体給紙部３１から用紙を画像形成ステーション３４へ供給し、本体側操作部６１から入力された動作指示に従い、記憶部７２から画像データを読み出して画像形成ステーション３４へ出力し、画像形成ステーション３４において画像データに基づく画像形成処理を行わせる。また、制御部７０は、必要に応じて用紙後処理部４０に後処理を行わせた後、排紙部５０の排紙トレイ５１へ用紙を排出させる。
【００４６】
排紙部側操作部６２は、排紙部側表示部６２１及び排紙部側入力操作部６２２を含む。一例として、排紙部側操作部６２は、液晶タッチパネルで構成される。
【００４７】
図３（Ａ）及び図３（Ｂ）に示すように、本体側操作部６１は、本体側主画面１１１及び本体側副画面１１２を表示可能に構成されている。本体側副画面１１２は、本体側主画面１１１よりも小サイズである。
【００４８】
同様に、排紙部側操作部６２は、排紙部側主画面１２１及び排紙部側副画面１２２を表示可能に構成されている。排紙部側副画面１２２は、排紙部側主画面１２１よりも小サイズである。
【００４９】
本体側操作部６１は、排紙部側主画面１２１に表示された画像の相似画像を本体側副画面１１２に表示する。本体側操作部６１は、本体側主画面１１１において入力操作を受け付ける。
【００５０】
排紙部側操作部６２は、本体側主画面１１１に表示された画像の相似画像を排紙部側副画面１２２に表示する。排紙部側操作部６２は、排紙部側主画面１２１において入力操作を受け付ける。
【００５１】
図４に示すように、本体側操作部６１の本体側主画面１１１の表示画面の一例として、画像形成処理条件の設定画面が挙げられる。なお、図４及び後述する及び図７（Ｂ）では、本体側副画面１１２の記載が省略されている。画像形成処理条件の設定画面では、各アイコンをタッチすることで、カラーモード、コピー濃度、コピー倍率、原稿サイズ、用紙サイズ、両面コピー、後処理等の設定の入力操作を行うことができる。
【００５２】
図５に示すように、排紙部側操作部６２の排紙部側主画面１２１の表示画面の一例として、印刷ジョブの進行状況を示す画面が挙げられる。なお、図５並びに後述する図６及び図７（Ａ）では、排紙部側副画面１２２の記載が省略されている。印刷ジョブの進行状況を示す画面では、各アイコンをタッチすることで、印刷ジョブの詳細情報の表示指示、印刷ジョブの削除、印刷ジョブを優先的に実行させる設定、印刷ジョブの完了時間の表示指示、印刷ジョブの実行順序の変更といった入力操作を行うことができる。
【００５３】
なお、排紙部側操作部６２の排紙部側主画面１２１の表示画面の他の例として、図６に示すように、用紙ジャム状況を示す画面が挙げられる。例えば、用紙ジャム状況を示す画面では、画像形成装置１０の模式図上に、用紙の搬送位置を示す矢印画像１２１１のアニメーションが表示される。用紙ジャムが発生した場合は、画像形成部３２、インサータユニット４１、紙折りユニット４２、サドルユニット４３、及び排紙部５０のうち、用紙ジャムが発生したユニット上に例えば逆三角形（▼）画像１２１２が表示されることで、用紙ジャムの発生位置が報知される。用紙ジャムの発生位置が報知された際に、当該ユニットにユーザがタッチすることで、タッチされたユニットのジャム処理方法を案内する画面に、排紙部側主画面１２１が切り換えられる。ジャム処理方法を案内する画面が表示された際には、排紙部側副画面１２２は表示されない。
【００５４】
また、インサータユニット４１、紙折りユニット４２、サドルユニット４３、及び排紙部５０のうちのいずれかのユニットに用紙ジャムが発生した場合は、図７（Ａ）に示すように、インサータユニット４１より用紙搬送方向の下流側のユニット、即ちインサータユニット４１、紙折りユニット４２、サドルユニット４３、及び排紙部５０の模式図、並びに矢印画像１２１１及び逆三角形（▼）画像１２１２を表示し、画像形成部３２に用紙ジャムが発生した場合は、図７（Ｂ）に示すように、画像形成部３２よりも用紙搬送方向の上流側のユニット、即ち大容量給紙部２０及び画像形成装置本体３０の模式図、並びに矢印画像１２１１及び逆三角形（▼）画像１２１２を表示するように構成することもできる。
【００５５】
上述のように構成される画像形成装置１０では、本体側操作部６１及び排紙部側操作部６２は、本体側操作部６１又は排紙部側操作部６２のいずれかから所定の表示切換操作が行われると、本体側主画面１１１に表示していた画像の縮小画像を本体側副画面１１２に表示するとともに本体側副画面１１２に表示していた画像の拡大画像を本体側主画面１１１に表示し、かつ排紙部側主画面１２１に表示していた画像の縮小画像を排紙部側副画面１２２に表示するとともに排紙部側副画面１２２に表示していた画像の拡大画像を排紙部側主画面１２１に表示するように、主画面と副画面との表示をそれぞれ切り換える。
【００５６】
表示切換操作の例として、主画面１１１，１２１のアイコンが無い領域をタッチする操作、主画面１１１，１２１に表示切換キーを表示しておいて表示切換キーをタッチする操作が挙げられる。
【００５７】
画像形成装置１０では、本体側操作部６１の本体側主画面１１１に表示された画像が排紙部側操作部６２の排紙部側副画面１２２に表示される。排紙部側操作部６２において排紙部側主画面１２１と排紙部側副画面１２２との表示を切り換えて、本体側操作部６１の本体側主画面１１１に表示されていた画像を排紙部側操作部６２の排紙部側主画面１２１に表示させることで、本体側主画面１１１に表示されていた画像を排紙部側主画面１２１に表示させた状態で排紙部側主画面１２１において入力操作を行うことができる。このため、本来は排紙部側操作部６２の近傍から立ち位置を変えて本体側操作部６１において行わなければならなかった入力操作を、立ち位置を変えずに排紙部側操作部６２において行うことができる。同様にして、本来は本体側操作部６１の近傍から立ち位置を変えて排紙部側操作部６２において行わなければならなかった入力操作を、立ち位置を変えずに本体側操作部６１において行うこともできる。したがって、入力操作についての作業性を向上させることができる。
【００５８】
本体側操作部６１は、排紙部側主画面１２１に表示された画像についてのサイズ調整操作を受け付け、排紙部側操作部６２は、本体側主画面１１１に表示された画像についてのサイズ調整操作を受け付けるように構成されることが好ましい。
【００５９】
この実施形態では、本体側操作部６１は、排紙部側副画面１２２に表示された画像についてのサイズ調整操作も受け付け、排紙部側操作部６２は、本体側副画面１１２に表示された画像についてのサイズ調整操作も受け付けるように構成されている。
【００６０】
サイズ調整操作の例として、本体側主画面１１１や排紙部側主画面１２１に２本指でタッチした状態で２本指の間を広げることによる拡大操作、２本指の間を狭めることによる縮小操作が挙げられる。本体側副画面１１２及び排紙部側副画面１２２についても同様の操作を可能とすることができる。
【００６１】
具体的には、例えば、排紙部側主画面１２１においてサイズ調整操作を行うことで、排紙部側主画面１２１に表示された画像がサイズ調整されるとともに、本体側副画面１１２に表示された画像も同様にサイズ調整される。また、排紙部側副画面１２２においてサイズ調整操作を行うことで、排紙部側副画面１２２に表示された画像がサイズ調整されるとともに、本体側主画面１１１に表示された画像も同様にサイズ調整される。本体側主画面１１１及び本体側副画面１１２においてサイズ調整操作を行った場合も、同様である。
【００６２】
このように、一方の操作部において他方の操作部の主画面や副画面に表示された画像についてのサイズ調整操作を行うことができる。例えば、排紙部側操作部６２の近傍に居て本体側主画面１１１と排紙部側主画面１２１とを見比べたいような場合、本体側主画面１１１は排紙部側副画面１２２にも表示されるが、排紙部側副画面１２２は小サイズであるために認識しづらい場合があり、また、排紙部側副画面１２２の画像を排紙部側主画面１２１に切り換えて表示させたのでは、排紙部側主画面１２１に表示されていた画像が排紙部側副画面１２２に表示されてしまい認識しづらくなる場合がある。そこで、画像形成装置１０では、排紙部側操作部６２の近傍に居ながらにして、本体側主画面１１１に表示された画像を拡大することで、本体側主画面１１１と排紙部側主画面１２１とを同時に容易に認識できるようになる。このように、両方の操作部６１，６２の主画面１１１，１２１を同時に容易に認識できるようにする操作を、立ち位置を変えずに行うことができる。したがって、サイズ調整の入力操作についての作業性を向上させることができる。
【００６３】
図８に示すように、本体側操作部６１は、排紙部側主画面１２１についての輝度調整操作を受け付け、排紙部側操作部６２は、本体側主画面１１１についての輝度調整操作を受け付けるように構成されることが好ましい。一例として、本体側操作部６１及び排紙部側操作部６２は、ＬＥＤバックライトを備えた液晶タッチパネルで構成される。
【００６４】
この実施形態では、本体側主画面１１１及び第２主画面１２２のそれぞれにおいて、本体側主画面１１１、本体側副画面１１２、排紙部側主画面１２１、及び排紙部側副画面１２２のそれぞれの輝度調整操作を行うことができるように構成されている。
【００６５】
輝度調整操作の例として、輝度調整キー１２１３を主画面１１１，１２１に表示させておき、輝度調整キー１２１３にタッチすることで輝度調整画面１２１４が表示され、本体側主画面１１１、本体側副画面１１２、排紙部側主画面１２１、及び排紙部側副画面１２２のそれぞれについて、アップキー１２１５にタッチすることで明るく、ダウンキー１２１６にタッチすることで暗くすることができる。
【００６６】
例えば、排紙部側操作部６２において本体側操作部６１の本体側主画面１１１についての輝度調整操作を行うことができる。このため、排紙部側操作部６２の近傍に居て本体側主画面１１１と排紙部側主画面１２１とを見比べたいような場合に、排紙部側副画面１２２では小サイズ等の理由で認識しづらく、かつ本体側主画面１１１も輝度が不適切であるために認識しづらい場合であっても、排紙部側操作部６２の近傍に居ながらにして、本体側主画面１１１についての輝度調整を行うことで、本体側主画面１１１と排紙部側主画面１２１とを同時に容易に認識できるようになる。本体側操作部６１において排紙部側主画面１２１についての輝度調整操作を行う場合についても同様である。このように、両方の操作部６１，６２の主画面１１１，１２１を同時に容易に認識できるようにする操作を、立ち位置を変えずに行うことができる。したがって、輝度調整の入力操作についての作業性を向上させることができる。
【００６７】
なお、本体側主画面１１１の表示と排紙部側副画面１２２の表示とが同期し、本体側副画面１１２の表示と排紙部側主画面１２１の表示とが同期するように構成することができる。
【００６８】
このように構成すれば、排紙部側操作部６２において排紙部側主画面１２１と排紙部側副画面１２２との表示切換操作を行った場合、同時に本体側操作部６１においても本体側主画面１１１と本体側副画面１１２との表示が切り換えられる。本体側操作部６１において表示切換操作を行った場合も同様である。このため、一方の操作部の副画面に他方の操作部の主画面を表示させた状態を常に維持することができる。また、排紙部側操作部６２において本体側主画面１１１についてのサイズ調整操作や輝度調整操作といった調整操作を行った場合に、この本体側主画面１１１についてのサイズ調整や輝度調整といった調整が排紙部側副画面１２２に反映されるので、ユーザは手元の排紙部側副画面１２２を参照しながら本体側主画面１１１の調整操作を行うことができる。本体側操作部６１において排紙部側主画面１２１についての調整操作を行った場合も同様である。
【００６９】
つぎに、図９〜図１２（Ａ）及び図１２（Ｂ）を参照しつつ、第二の実施形態に係る画像形成装置１０について説明する。なお、特に説明しない部分については第一の実施形態に係る画像形成装置１０と同様に構成されている。
【００７０】
図９〜図１１、図１２（Ａ）及び図１２（Ｂ）に示すように、本体側操作部６１及び排紙部側操作部６２は、上下方向及び左右方向のうち少なくともいずれか一方に回転自在にそれぞれ構成され、本体側操作部６１は、排紙部側操作部６２を回転させる回転操作を受け付け、排紙部側操作部６２は、本体側操作部６１を回転させる回転操作を受け付けるように構成されている。この実施形態では、本体側操作部６１及び排紙部側操作部６２は、上下方向及び左右方向の両方に回転自在にそれぞれ構成されている。図９〜図１１では、本体側操作部６１について説明するが、排紙部側操作部６２についても同様に構成されている。
【００７１】
図９に示すように、本体側操作部６１は、逆Ｌ字形の支柱１３１の先端部に取り付けられている。支柱１３１の基端部は、画像形成装置本体３０の筐体１３２、及び筐体１３２に固定されたガイド１３３によって回転自在に支持されている。
【００７２】
支柱１３１の基端部には、ギヤ１３４が固定されている。ギヤ１３４には、第１モータ７４の駆動軸に固定されたギヤ１３５が噛み合っている。第１モータ７４を駆動させることで、ギヤ１３５を介してギヤ１３４に回転力が伝達され、支柱１３１が回転する。これによって、本体側操作部６１は、支柱１３１の基端部即ち鉛直方向を軸にして、水平面に沿って左右方向に回転する。
【００７３】
図１０では、第１モータ７４及びギヤ１３５の記載が省略されている。本体側操作部６１の背面には、回転軸受１３６が固定されている。
【００７４】
図１１に示すように、支柱１３１の先端部は、回転軸受１３６に回転自在に挿通されている。回転軸受１３６は小径化された軸受部１３７を一体的に有し、軸受部１３７にギヤ１３８が固定されている。
【００７５】
支柱１３１のうち回転軸受１３６の近傍部分にプレート１３９が支持されている。プレート１３９に、第２モータ７５が固定されている。軸受部１３７に固定されたギヤ１３８は、第２モータ７５の駆動軸に固定されたギヤ１４０と噛み合っている。
【００７６】
第２モータ７５を駆動させることで、ギヤ１４０及びギヤ１３８を介して回転軸受１３６に回転力が伝達され、本体側操作部６１が支柱１３１の先端部即ち水平方向の軸を中心にして上下方向に回転する。
【００７７】
図１２（Ａ）に示すように、左右方向の回転操作の例として、鉛直方向の軸を中心とした円弧状に、本体側主画面１１１にタッチしつつ移動させる操作が挙げられる。本体側主画面１１１にタッチしつつ鉛直方向の軸を中心とした円孤状に移動させることで、排紙部側操作部６２が左右方向に回転する。排紙部側主画面１２１にタッチしつつ鉛直方向の軸を中心とした円弧状に移動させることで、本体側操作部６１が左右方向に回転する。
【００７８】
図１２（Ｂ）に示すように、上下方向の回転操作の例として、水平方向の軸を中心として円孤状に、本体側主画面１１１にタッチしつつ移動させる操作が挙げられる。本体側主画面１１１にタッチしつつ水平方向の軸を中心とした円孤状に移動させることで、排紙部側操作部６２が上下方向に回転する。排紙部側主画面１２１にタッチしつつ水平方向の軸を中心とした円弧状に移動させることで、本体側操作部６１が上下方向に回転する。
【００７９】
例えば、本体側主画面１１１と排紙部側主画面１２１とを見比べたいような場合に、排紙部側操作部６２において回転操作を行うことで、排紙部側操作部６２の近傍に居ながらにして、本体側操作部６１をユーザから見やすい方向へ回転させることができ、これによって本体側主画面１１１と排紙部側主画面１２１とを同時に容易に認識できるようになる。このように、両方の操作部６１，６２の主画面１１１，１２１を同時に容易に認識できるようにする操作を、立ち位置を変えずに行うことができる。ユーザが本体側操作部６１の近傍に居る場合も同様である。操作部６１，６２を上下方向に回転させることで、ユーザの身長に合わせて見やすい方向に操作部６１，６２を向けることができる。
【００８０】
本体側操作部６１及び排紙部側操作部６２のうち、一方の操作部が第１操作部であり、他方の操作部が第２操作部である。上述の実施形態では、本体側操作部６１及び排紙部側操作部６２の両方において、主画面と副画面との表示の切り換えが可能に構成されているが、本体側操作部６１又は排紙部側操作部６２のいずれか一方のみにおいて主画面と副画面との表示の切り換えが可能に構成することもできる。
【００８１】
同様に、本体側操作部６１又は排紙部側操作部６２のいずれか一方のみにおいて、他方の操作部の主画面に表示された画像についてのサイズ調整操作を受け付けるように構成することもできる。
【００８２】
同様に、本体側操作部６１又は排紙部側操作部６２のいずれか一方のみにおいて、他方の操作部の主画面についての輝度調整操作を受け付けるように構成することもできる。
【００８３】
同様に、本体側操作部６１及び排紙部側操作部６２のうち排紙部側操作部６２のみが、上下方向及び左右方向のうち少なくともいずれか一方に回転自在に構成され、排紙部側操作部６２を回転させる第２駆動源をさらに備え、本体側操作部６１が排紙部側操作部６２を回転させる回転操作を受け付けるように構成すること、並びに、本体側操作部６１のみが、上下方向及び左右方向のうち少なくともいずれか一方に回転自在に構成され、本体側操作部６１を回転させる第１駆動源をさらに備え、排紙部側操作部６２が本体側操作部６１を回転させる回転操作を受け付けるように構成することも可能である。
【００８４】
図１３に示す第三の実施形態に係る画像形成装置１０のように、画像形成装置本体３０と排紙部５０との間に配置される用紙後処理部４０の用紙搬送方向９１に沿う方向の距離が長い画像形成装置１１ほど、入力操作についての作業性を向上できるという本発明の効果がより顕著となる。
【００８５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８６】
１０，１１  画像形成装置
２０  大容量給紙部
３０  画像形成装置本体
３２  画像形成部
３３  画像読取部
４０  用紙後処理部
５０  排紙部
６１  本体側操作部
１１１  本体側主画面
１１２  本体側副画面
６２  排紙部側操作部
１２１  排紙部側主画面
１２２  排紙部側副画面
７４  第１モータ（第１駆動源，第２駆動源）
７５  第２モータ（第１駆動源，第２駆動源）
【図１】
2014238745.tif 000003
【図２】
2014238745.tif 000004
【図３】
2014238745.tif 000005
【図４】
2014238745.tif 000006
【図５】
2014238745.tif 000007
【図６】
2014238745.tif 000008
【図７】
2014238745.tif 000009
【図８】
2014238745.tif 000010
【図９】
2014238745.tif 000011
【図１０】
2014238745.tif 000012
【図１１】
2014238745.tif 000013
【図１２】
2014238745.tif 000014
【図１３】
2014238745.tif 000015